(57)【要約】【課題】安定したミスト量を確保できるとともに簡単な構成でコストを削減できる噴霧装置を提供する。【解決手段】ハウジング２内に配されて液体を貯溜するタンク３と、タンク４内の液体に下端を浸漬して吸液する吸液部６と、吸液部６の上端に吸い上げられた液体と接触してミストを発生するミスト発生部２４と、ハウジング２の上面を覆うとともにミスト発生部２４を駆動してミストの通路を開放するオン位置とミスト発生部２４を停止してミストの通路を遮蔽するオフ位置との間を回動する蓋部１０と、蓋部１０に連動してオフ位置で吸液部６とミスト発生部２４とを離隔させる離隔部材３３とを備えた。【選択図】図１０
2010214332.tif 000002
【特許請求の範囲】
【請求項１】
液体を貯溜するタンクと、前記タンク内の液体に下端を浸漬して吸液する吸液部と、前記吸液部の上端に吸い上げられた液体と接触してミストを発生するミスト発生部と、前記ミスト発生部を駆動してミストの通路を開放するオン位置と前記ミスト発生部を停止してミストの通路を遮蔽するオフ位置との間を回動する蓋部と、前記蓋部と連動して前記オフ位置で前記吸液部と前記ミスト発生部とを離隔させる離隔部材とを備えたことを特徴とする噴霧装置。
【請求項２】
前記吸液部を前記ミスト発生部の方向に付勢する付勢部を有し、前記離隔部材が前記蓋部と一体的に設けられて前記オフ位置で前記吸液部と前記ミスト発生部との間に挿入されるとともに前記オン位置で前記吸液部と前記ミスト発生部との間から退避することを特徴とする請求項１に記載の噴霧装置。
【請求項３】
前記蓋部の回動時に前記ミスト発生部に摺動して前記ミスト発生部を清掃する清掃部材を前記離隔部材に設けたことを特徴とする請求項１または請求項２に記載の噴霧装置。
【請求項４】
前記ミスト発生部が超音波振動子を有し、前記超音波振動子の振幅を通常運転時よりも駆動開始から所定時間だけ大きくしたことを特徴とする請求項１乃至請求項３のいずれかに記載の噴霧装置。
【請求項５】
前記ミスト発生部が超音波振動子を有し、前記蓋部を前記オフ位置に配した後に前記超音波振動子の振幅を大きくして所定時間だけ駆動を継続したことを特徴とする請求項１乃至請求項４のいずれかに記載の噴霧装置。
【発明の詳細な説明】
【技術分野】
【０００１】
本発明は、ミスト状の液体を放出する噴霧装置に関する。
【背景技術】
【０００２】
ミスト状の液体を放出する従来の噴霧装置は特許文献１に開示される。この噴霧装置はハウジング内に市水等の液体を貯溜するタンクを有している。タンクには吸水材の下端が浸漬される。吸水材はスリーブ内に配され、スリーブにはラックが設けられる。ハウジング内には駆動モータにより駆動されるピニオンが設けられ、ピニオンとラックの噛合によって吸水材が上下移動可能になっている。吸水材の上方には超音波振動子が設けられる。ハウジングの上面にはミスト発生部に対向する放出口が設けられる。
【０００３】
噴霧装置を駆動すると駆動モータが駆動され、ピニオンによりスリーブを上昇して吸水材がミスト発生部に当接あるいは近接される。これにより、吸水材の上端に吸い上げられた液体が超音波振動子に接する。超音波振動子の駆動によって該液体がミスト化され、放出口から室内にミストが放出される。
【０００４】
超音波振動子を停止した際にはピニオンによりスリーブを降下させて吸水材が超音波振動子から離される。これにより、超音波振動子への液体の供給を停止し、超音波振動子に残留するスケールを低減して安定したミスト量を確保することができる。
【先行技術文献】
【特許文献】
【０００５】
【特許文献１】特開２００９−６２５８号公報（第３頁−第５頁、第１図）
【発明の概要】
【発明が解決しようとする課題】
【０００６】
しかしながら、上記従来の噴霧装置によると、吸水材の上下移動を行うためにラック、ピニオン及び駆動モータを有するため、構造が複雑になる。このため、噴霧装置のコストが大きくなる問題があった。
【０００７】
本発明は、安定したミスト量を確保できるとともに簡単な構成でコストを削減できる噴霧装置を提供することを目的とする。
【課題を解決するための手段】
【０００８】
上記目的を達成するために本発明は、液体を貯溜するタンクと、前記タンク内の液体に下端を浸漬して吸液する吸液部と、前記吸液部の上端に吸い上げられた液体と接触してミストを発生するミスト発生部と、前記ミスト発生部を駆動してミストの通路を開放するオン位置と前記ミスト発生部を停止してミストの通路を遮蔽するオフ位置との間を回動する蓋部と、前記蓋部と連動して前記オフ位置で前記吸液部と前記ミスト発生部とを離隔させる離隔部材とを備えたことを特徴としている。
【０００９】
この構成によると、タンクに貯溜された市水等の液体が吸液部によって上端まで吸い上げられる。蓋部をオン位置に配置すると吸液部とミスト発生部とは当接または近接し、吸液部により吸い上げられた液体がミスト発生部に接する。ミスト発生部は超音波振動子等によって液体からミストを発生し、開放された通路を介して室内にミストが放出される。蓋部をオフ位置に配置するとミスト発生部の駆動が停止され、蓋部に連動する離隔部材によってミスト発生部と吸液部とが離隔される。これにより、吸液部により吸い上げられた液体とミスト発生部との接触状態が解除される。
【００１０】
また本発明は、上記構成の噴霧装置において、前記吸液部を前記ミスト発生部の方向に付勢する付勢部を有し、前記離隔部材が前記蓋部と一体的に設けられて前記オフ位置で前記吸液部と前記ミスト発生部との間に挿入されるとともに前記オン位置で前記吸液部と前記ミスト発生部との間から退避することを特徴としている。
【００１１】
この構成によると、蓋部をオフ位置に配置すると、離隔部材が付勢部の付勢力に抗して吸液部とミスト発生部と間に挿入されて両者を離隔させる。蓋部をオン位置に配置すると離隔部材が退避し、付勢部の付勢力によって吸液部とミスト発生部とが当接または近接する。
【００１２】
また本発明は、上記構成の噴霧装置において、前記蓋部の回動時に前記ミスト発生部に摺動して前記ミスト発生部を清掃する清掃部材を前記離隔部材に設けたことを特徴としている。この構成によると、蓋部をオフ位置に回動すると離隔部材に設けた清掃部材がミスト発生部と摺動し、ミスト発生部の清掃が行われる。
【００１３】
また本発明は、上記構成の噴霧装置において、前記ミスト発生部が超音波振動子を有し、前記超音波振動子の振幅を通常運転時よりも駆動開始から所定時間だけ大きくしたことを特徴としている。この構成によると、噴霧を行う通常運転時には超音波振動子が所定の振幅で駆動されてミストを発生する。ミスト発生部の駆動開始時には該振幅よりも大きい振幅で超音波振動子が駆動される。これにより、ミスト発生部に残留するスケールを脱落させる。
【００１４】
また本発明は、上記構成の噴霧装置において、前記ミスト発生部が超音波振動子を有し、前記蓋部を前記オフ位置に配した後に前記超音波振動子の振幅を大きくして所定時間だけ駆動を継続したことを特徴としている。この構成によると、噴霧を行う通常運転時には超音波振動子が所定の振幅で駆動されてミストを発生する。蓋部をオフ位置に配置されると、超音波振動子の振幅を大きくして所定時間だけ駆動が継続される。これにより、ミスト発生部に残留する液体を飛散させる。
【発明の効果】
【００１５】
本発明によると、蓋部がミスト発生部を駆動してミストの通路を開放するオン位置とミスト発生部を停止してミストの通路を遮蔽するオフ位置との間を回動し、蓋部に連動する離隔部材によりオフ位置で吸液部とミスト発生部とを離隔したので、簡単な構成で吸液部をミスト発生部から離隔させることができる。これにより、ミスト発生部に付着するスケールを低減して安定したミスト量を確保できるとともに、噴霧装置のコストを削減することができる。また、オフ位置でミストの通路を遮蔽するため、ミスト発生部への塵埃の付着を防止してより安定したミスト量を確保することができる。
【図面の簡単な説明】
【００１６】
【図１】本発明の一実施形態の加湿器のオン状態を示す正面図
【図２】本発明の一実施形態の加湿器のオン状態を示す上面図
【図３】本発明の一実施形態の加湿器のオン状態を示す正面断面図
【図４】本発明の一実施形態の加湿器のオン状態のミスト発生部を示す正面断面図
【図５】本発明の一実施形態の加湿器のオフ状態を示す正面図
【図６】本発明の一実施形態の加湿器のオフ状態を示す上面図
【図７】本発明の一実施形態の加湿器のオン状態の下面板を示す上面図
【図８】本発明の一実施形態の加湿器のオン状態の下面板を示す斜視図
【図９】本発明の一実施形態の加湿器のオフ状態の下面板を示す上面図
【図１０】本発明の一実施形態の加湿器のオフ状態の下面板を示す斜視図
【図１１】本発明の一実施形態の加湿器のオフ状態に移行時のミスト発生部を示す正面断面図
【図１２】本発明の一実施形態の加湿器のオフ状態のミスト発生部を示す正面断面図
【発明を実施するための形態】
【００１７】
以下に本発明の実施形態を図面を参照して説明する。図１、図２は噴霧装置の一実施形態である加湿器の正面図及び上面図を示している。加湿器１は筒状のハウジング２を有し、ハウジング２の上面は蓋部１０に覆われて下面が下カバー３により塞がれる。蓋部１０はハウジング２に対して回動自在に取り付けられ、上面にツマミ１２が設けられる。蓋部１０の回動によって加湿器１の電源がオンオフされるようになっており、蓋部１０の上面にはオン状態及びオフ状態をそれぞれ表わす印字１０ｂ、１０ｃが設けられている。
【００１８】
ハウジング２の正面にはスイッチ１５及び複数のＬＥＤ１６が設けられる。スイッチ１５の操作によって加湿能力の強弱が切り替えられ、ＬＥＤ１６により駆動状態を視認することができる。蓋部１０は図１、図２に示すようにＬＥＤ１６が配される正面に印字１０ｂを配置したオン位置と、正面に印字１０ｃを配置したオフ位置（図５、図６参照）との間を回動して電源のオンオフを行う。
【００１９】
図３は加湿器１の内部を示す正面断面図である。ハウジング２の下部には市水等の液体を貯溜するタンク４が配される。タンク４の周面には環状の突起部４ａが設けられ、突起部４ａの上方には螺旋状の突起部４ｂが設けられる。下カバー３の内面には可撓性部材（不図示）が配され、可撓性部材に形成される溝部（不図示）に下方の突起部４ａが嵌合してタンク４と下カバー３とが一体化される。
【００２０】
突起部４ｂはハウジング２の内面に設けた螺旋状の溝部（不図示）に螺合し、タンク４と下カバー３とが一体にハウジング２に対して着脱可能になっている。これにより、タンク４をハウジング２から脱着してタンク４内に加湿用の液体を入れることができる。
【００２１】
ハウジング２の上部には円板状の固定板２０が設けられる。固定板２０には鉛直に延びるフレーム５が取り付けられる。フレーム５は上下に延びる中空のスリーブ９を有し、スリーブ９内には吸水材等の吸液性を有する棒状の吸液部６が配される。これにより、吸液部６の下端がタンク４内の液体に浸漬される。
【００２２】
スリーブ６の下端には係合爪（不図示）で係止されるキャップ７が設けられる。キャップ７内にはコイルバネ８（付勢部）が配され、コイルバネ８の上端には吸液部６の下端に当接する当接部材８ａが設けられる。これにより、吸液部６が上方に付勢された状態で支持される。
【００２３】
固定板２０にはミスト発生部２４が取り付けられたパッキン２１が設けられる。図４はミスト発生部２４近傍の正面断面図を示している。パッキン２１には上面に開口部２１ａが設けられ、開口部２１ａの下方にミスト発生部２４が取り付けられる。ミスト発生部２４は振動板２３及び超音波振動子２２を有している。振動板２３は開口部２１ａに対向してオン位置で吸液部６の上端に当接し、振動板２３の上面に超音波振動子２２が取り付けられている。
【００２４】
超音波振動子２２の駆動によって振動板２３が振動し、吸液部６の上端に吸い上げられた液体がミスト化される。振動板２３には吸液部６の上端に吸い上げられた液体が接触すればよいため、吸液部６の上端を振動板２３に近接させてもよい。
【００２５】
図３において、蓋部１０はハウジング２の上面に回動自在に設けられ、ツマミ１２を有する上カバー１１の下方に中間板１３及び下面板１４を一体的に備える。上カバー１０には蓋部１０をオン位置に配した際に開口部２１ａに対向する放出口１０ａが設けられる。放出口１０ａの周縁は開口部２１ａの周縁のパッキン２１に接してミスト発生部２４で発生したミストが通る通路を形成する。
【００２６】
蓋部１０をオン位置に配置することにより、ミストの通路が開放される。また、図５、図６に示すように蓋部１０をオフ位置に配置すると、上カバー１０によって開口部２１ａが覆われてミストの通路が遮蔽される。
【００２７】
図７、図８はオン位置の下面板１４の平面図及び下方から見た斜視図を示している。下面板１４の後部には位置決め部３０が設けられる。位置決め部３０は矩形の開口部内を摺動する摺動子３２が設けられ、摺動子３２はコイルバネ３１により外周方向に付勢されている。摺動子３２の先端が固定板２０（図３参照）に設けた溝（不図示）に係合し、蓋部１０をオン位置とオフ位置で位置決めすることができる。
【００２８】
下面板１４の前部にはパッキン２１が嵌合するアーチ状の長孔１４ａが設けられる。長孔１４ａによって蓋部１０を回動した際の下面板１４とパッキン２１との干渉が回避される。オン位置でパッキン２１は正面から見て長孔１４ａの左端に配され、長孔１４の右方の縁部には下方に延びて水平に屈曲するＬ字型の離隔部材３３が取り付けられる。また、離隔部材３３の上面にはスポンジ等の清掃部材３４が取り付けられている。
【００２９】
上記構成の加湿器１において、市水等の液体を入れたタンク４をハウジング２に装着すると該液体が吸液部６によって上端まで吸い上げられる。蓋部１０をオン位置に配置すると開口部２１ａと放出口１０ａが対向してミストの通路が開放され、ミスト発生部２４の超音波振動子２２が駆動される。
【００３０】
また、コイルバネ８の付勢によって吸液部６とミスト発生部２４とが接触し、吸液部６により吸い上げられた液体がミスト発生部２４に接する。これにより、ミスト発生部２４
で発生したミストが放出口１０ａを介して室内に放出され、室内の加湿が行われる。
【００３１】
蓋部１０をオフ位置に配置するとミスト発生部２４の超音波振動子２２が停止される。また、蓋部１０の上カバー１１によって開口部２１ａが遮蔽される。
【００３２】
図９、図１０はオフ位置の下面板１４の平面図及び下方から見た斜視図を示している。オフ位置でパッキン２１は正面から見て長孔１４ａの右端に配される。この時、離隔部材３３は蓋部１０とともに回動してコイルバネ８の付勢力に抗して吸液部６と振動板２３との間に挿入される。これにより、吸液部６とミスト発生部２４とが離隔される。また、蓋部１０をオン位置に配置すると隔離部材３３が吸液部６とミスト発生部２４との間から退避する。
【００３３】
図１１、図１２は蓋部１０をオン位置からオフ位置に回動した際のミスト発生部２４近傍を示す正面断面図である。蓋部１０の回動により離隔部材３３が吸液部６の上面と摺動し、清掃部材３４が振動板２３の下面と摺動する。これにより、振動板２３に残留する液体や凝結したスケールの清掃を行うことができる。吸液部６の上端及び離隔部材３３の下面にはそれぞれ傾斜面６ａ、３３ａが設けられる。これにより、円滑に隔離部材３３を吸液部６と振動板２３との間に挿入することができる。
【００３４】
尚、加湿器１の駆動開始時には超音波振動子２２の振幅を通常運転時よりも所定時間だけ大きくするとよい。これにより、ミスト発生部２４に残留するスケールを剥離させて脱落させることができる。
【００３５】
また、蓋部１０をオフ位置に配した後に超音波振動子２２の振幅を大きくして所定時間だけ駆動を継続してもよい。これにより、ミスト発生部２４に残留する液体を飛散させることができる。
【００３６】
本実施形態によると、蓋部１０がミスト発生部２４を駆動してミストの通路を開放するオン位置とミスト発生部２４を停止してミストの通路を遮蔽するオフ位置との間を回動し、蓋部１０に連動する離隔部材３３によりオフ位置で吸液部６とミスト発生部２４とを離隔したので、簡単な構成で吸液部６をミスト発生部２４から離隔させることができる。これにより、オフ位置で振動板２３から吸液部６が離れて振動板２３に液体が供給されないので、液体の凝結によってミスト発生部２４に付着するスケールを低減できる。従って、簡単な構成で安定したミスト量を確保して加湿器１のコストを削減することができる。また、オフ位置でミストの通路を遮蔽するため、ミスト発生部２４への塵埃の付着を防止してより安定したミスト量を確保することができる。
【００３７】
また、吸液部６をミスト発生部２４の方向に付勢するコイルバネ８（付勢部）を設け、蓋部１０と一体の離隔部材３３がオフ位置で吸液部６とミスト発生部２４との間に挿入されてオン位置で吸液部６とミスト発生部２４との間から退避するので、蓋部１０に連動して吸液部６とミスト発生部２４との接離させる隔離部材３３を容易に実現することができる。
【００３８】
また、蓋部１０の回動時にミスト発生部２４に摺動してミスト発生部２４を清掃する清掃部材３４を離隔部材３３に設けたので、ミスト発生部２４に残留した液体を除去してより安定したミスト量を確保することができる。
【００３９】
本実施形態において、加湿器１について説明しているが、ミストを放出する他の噴霧装置でもよい。例えば、電界生成物を含む電解液を噴霧するものや、芳香剤を噴霧するものであってもよい。
【産業上の利用可能性】
【００４０】
本発明によると、ミスト状の液体を放出する噴霧装置に利用することができる。
【符号の説明】
【００４１】
１    加湿器
２    ハウジング
３    下カバー
４    タンク
５    フレーム
６    吸液部
７    キャップ
８    コイルバネ
８ａ  当接部材
９    スリーブ
１０    蓋部
１０ａ  放出口
１１    上カバー
１２    ツマミ
１３    中間板
１４    下面板
１５    スイッチ
２０    固定板
２１    パッキン
２１ａ  開口部
２２    超音波振動子
２３    振動板
２４    ミスト発生部
３０    位置決め部
３１    ボール
３１    コイルバネ
３３    離隔部材
３４    清掃部材
【図１】
2010214332.tif 000003
【図２】
2010214332.tif 000004
【図３】
2010214332.tif 000005
【図４】
2010214332.tif 000006
【図５】
2010214332.tif 000007
【図６】
2010214332.tif 000008
【図７】
2010214332.tif 000009
【図８】
2010214332.tif 000010
【図９】
2010214332.tif 000011
【図１０】
2010214332.tif 000012
【図１１】
2010214332.tif 000013
【図１２】
2010214332.tif 000014